(57)【要約】【課題】他のデジタル機器との互換性を有する形式で、送受信データを永久保存することが可能な記録装置を備えるファクシミリ装置を提供する。【解決手段】ファクシミリ装置に記憶装置を設け、ファクシミリ装置に対して脱着可能な記憶媒体にデータを記憶保存する。記憶媒体としては、容量や保存の点からＣＤ−Ｒ、ＣＤ−ＲＷ、ＤＶＤ＋ＲＷ、ＤＶＤ−ＲＷ等の光記録媒体が好適に用いられる。保存のファイル形式は、パソコン等他のデジタル機器と互換性を有するファイル形式とする。【選択図】　　　　図２
2004032626.tif 000002
【特許請求の範囲】
【請求項１】
通信回線を介してファクシミリの送受信を行うファクシミリ装置において、
前記ファクシミリ装置は、記憶媒体が脱着可能な記憶装置を備え、
ファクシミリ送受信時に、送受信データをメモリに一時保存するとともに、
記憶装置が、送受信データを記憶媒体に記録保存する
ことを特徴とするファクシミリ装置。
【請求項２】
請求項１に記載のファクシミリ装置において、
記憶装置が、他のデジタル機器と互換性を有するファイル形式で、送受信データを記憶保存する
ことを特徴とするファクシミリ装置。
【請求項３】
請求項１または２に記載のファクシミリ装置において、
ファクシミリを受信した時刻をファイル作成時刻として記憶保存する
ことを特徴とするファクシミリ装置。
【請求項４】
請求項１ないし３のいずれかに記載のファクシミリ装置において、
前記ファクシミリ装置はワンタッチダイヤル機能を有し、
送受信先名がワンタッチダイヤル登録されている場合、ワンタッチダイヤル登録名と追い番とを、記憶媒体に記憶保存するファイル名とする
ことを特徴とするファクシミリ装置。
【請求項５】
請求項１ないし４のいずれかに記載のファクシミリ装置において、
記憶媒体の記憶容量が少なくなったときに、記憶媒体を交換するように警告を表示する
ことを特徴とするファクシミリ装置。
【発明の詳細な説明】
【０００１】
【発明の属する技術分野】
本発明は、通信回線を介してファクシミリの送受信を行うファクシミリ装置に関するものである。
【０００２】
【従来の技術】
従来のファクシミリ装置はプリントアウト機能が主であったが、デジタル機器の普及や紙等の省資源化を図るための環境保全運動の一環として、近年ではファクシミリ受信時に印字動作を行うとともに受信データをメモリに一時保存し、そのデータを再生・編集・転送等する機能を備えるファクシミリ装置が増えてきている。
しかし、従来のファクシミリ装置はデータを一時保存することは可能であったが、メモリーには限度があり、永久保存することはできなかった。
そこで、特開平６−１０５０９９号公報や特開平７−２６４３４４号公報では、ファクシミリ装置のデータをフレキシブル・ディスクに保存する記憶装置を提案している。
しかし、上記技術によりに保存されたデータは、個々の利用目的に合わせ、パソコン等の他のデジタル機器で利用することが可能なファイル形式で記憶保存することができなかった。
【０００３】
【発明が解決しようとする課題】
上記問題点に鑑み、本発明は、他のデジタル機器との互換性を有する形式で、送受信データを永久保存することが可能な記録装置を備えるファクシミリ装置を提供することを課題とする。
【０００４】
【課題を解決するための手段】
上記課題を解決するために、請求項１に記載の本発明は、通信回線を介してファクシミリの送受信を行うファクシミリ装置において、前記ファクシミリ装置が、記憶媒体が脱着可能な記憶装置を備え、ファクシミリ送受信時に、送受信データをメモリに一時保存するとともに、記憶装置が、送受信データを記憶媒体に記録保存することを特徴とするファクシミリ装置とする。
請求項２に記載の本発明は、請求項１に記載のファクシミリ装置において、記憶装置が、他のデジタル機器と互換性を有するファイル形式で、送受信データを記憶保存することを特徴とするファクシミリ装置とする。
請求項３に記載の本発明は、請求項１または２に記載のファクシミリ装置において、ファクシミリを受信した時刻をファイル作成時刻として記憶保存することを特徴とするファクシミリ装置とする。
請求項４に記載の本発明は、請求項１ないし３のいずれかに記載のファクシミリ装置において、前記ファクシミリ装置がワンタッチダイヤル機能を有し、送受信先名がワンタッチダイヤル登録されている場合、ワンタッチダイヤル登録名と追い番とを、記憶媒体に記憶保存するファイル名とすることを特徴とするファクシミリ装置とする。
請求項５に記載の本発明は、請求項１ないし４のいずれかに記載のファクシミリ装置において、記憶媒体の記憶容量が少なくなったときに、記憶媒体を交換するように警告を表示することを特徴とするファクシミリ装置とする。
【０００５】
【発明の実施の形態】
以下より、本発明の実施の形態について図に基づき説明する。
図１は本発明のファクシミリ装置の一例を示す外観斜視図である。
表示パネル５は送受信先等の各種情報を表示し、使用者はここでファクシミリ装置の主な操作を行う。受信時またはプリントアウト時には、給紙トレイ１より給紙された用紙に印字し、第１排紙トレイ２に用紙を排出する。また、用紙による送信時には原稿トレイ４に用紙をセットし、データを読み取られた用紙は第２排紙トレイ３に排紙される。
本発明は、ファクシミリ装置に記憶装置を設け、ファクシミリ装置に対して脱着可能な記憶媒体にデータを記憶保存する。記憶媒体としては、容量や保存の点から光記録媒体が好適に用いられる。光記録媒体は、ＣＤ−ＲでもＡ４サイズ用紙１００００枚分以上のデータを保存でき十分対応可能であるが、利便性を考慮すると、ＣＤ−ＲＷ、ＤＶＤ＋ＲＷ、ＤＶＤ−ＲＷ等の書き換え型が好ましい。
記憶媒体を用いることにより、データをコンパクトにまとめるとともに紙資源を大幅に削減することができる。
また、記憶装置は外付けの構成にし、オプションで取り付けても構わない。
【０００６】
図２は本発明の全体のシステムを示すブロック図である。
以下に、受信時の動作について説明する。
ファクシミリ装置がモデム１４及びＮＣＵ１５を介してファクシミリを受信すると、そのデータをメモリ１１により一時保存するとともに、記憶装置内にセットされた記憶媒体１９に記憶保存する。このとき、前記データをパソコン等他のデジタル機器で再生や編集できるように、他のデジタル機器と互換性を有するファイル形式、例えばＴＩＦ形式等に変換して記憶保存する。また、記憶媒体１９に記憶保存するファイルを作成するときに、受信した時刻をファイル作成時刻として記憶保存する。
これにより、例えば、「１年前にＡさんから受信したファクシミリ」などを、どこでも容易に検索・閲覧することができ、ファクシミリデータの利用性を広げることができる。
プリントアウトが必要であるかどうかは使用者が判断することができ、プリントアウトする際には書込部１８により用紙に印字する。
【０００７】
送信時は、紙の原稿を送信する場合には読取部１７に原稿を読み取らせ、そのデータをメモリ１１に一時保存するとともに、記憶装置内にセットされた記憶媒体１９に記憶保存する。このとき、受信時と同様に、他のデジタル機器と互換性を有するファイル形式で、送信した時刻をファイル作成時刻と記憶保存する。
さらに、ファクシミリ装置がワンタッチダイヤル機能を備え、送受信先の名前やファクシミリ番号等の情報がワンタッチダイヤル登録されている場合には、ファイル名をワンタッチダイヤル登録名＋追い番として自動的に保存する。これにより、送信時に相手先を検索しやすくなる。
【０００８】
また、記憶媒体１９の記憶容量を送受信毎に確認し、残りの記録容量が少なくなった場合には表示部１２に警告を表示させ、記録媒体１９を交換するように使用者に伝達する。
【０００９】
【発明の効果】
以上説明したように、請求項１に記載の本発明によれば、脱着可能な記憶媒体に記憶保存することにより、送受信データを永久保存することが可能なファクシミリ装置を提供することができる。
また、請求項２に記載の本発明によれば、パソコン等他のデジタル機器で利用可能なファイル形式で記憶保存することにより、ファクシミリデータの利用性を広げたファクシミリ装置を提供することができる。
さらに、請求項３に記載の本発明によれば、送受信した時刻をファイル作成時刻とすることにより、ファイルから送受信の日時が検索可能なファクシミリ装置を提供することができる。
さらに、請求項４に記載の本発明によれば、ワンタッチダイヤル機能を備える場合に、ファイル名をワンタッチ登録名＋追い番とすることにより、ファイル名から送信先を検索することが可能なファクシミリ装置を提供することができる。
さらに、請求項５に記載の本発明によれば、記憶媒体の記憶容量が少なくなったときに警告を表示することにより、記憶媒体の交換忘れを防ぐことが可能なファクシミリ装置を提供することができる。
【図面の簡単な説明】
【図１】ファクシミリ装置の外観を示す一例であり、（ａ）前方方向からの斜視図、（ｂ）後方方向からの斜視図である。
【図２】ファクシミリ装置のシステムを示すブロック図である。
【符号の説明】
１　給紙トレイ
２　第１排紙トレイ
３　第２排紙トレイ
４　原稿トレイ
５　表示パネル
１１　メモリ
１２　表示部
１３　制御部
１４　モデム
１５　ＮＣＵ
１６　システムメモリ
１７　読取部
１８　書込部
１９　記憶媒体
【図１】
2004032626.tif 000003
【図２】
2004032626.tif 000004